(57)【要約】【課題】  定着温度が異なる用紙への連続印刷時に、印刷開始時間の短縮を可能とし無駄な電力消費を防ぎ、また印刷効率を向上させ得る印刷装置を得る。【解決手段】  薬の情報書類（薬情）とその書類を入れる封筒（薬袋）など、書類とその書類を入れる封筒の両方を組み合わせて印刷処理する機能を備えた印刷装置１において、連続印刷開始時の用紙モードの定着温度をメモリして、印刷終了後メモリしておいた前回の印刷開始時の定着温度に戻すことにより、そのまま今回の印刷を即座に開始できるように構成し、これにより印刷開始時間の短縮を可能とする。【選択図】      図１
2010224206.tif 000002
【特許請求の範囲】
【請求項１】
上位装置から転送される複数種類の印刷用紙に印刷処理を行う印刷ジョブに基づいて印刷処理を行う際、使用を指示される印刷用紙の種別に応じて定着装置の温度設定を異ならせて印刷処理する印刷装置において、
前記印刷ジョブ開始時の開始状態情報を記憶する開始状態記憶手段と、
同一印刷ジョブ内の連続印刷処理中は、前記印刷データ中に指定された印刷用紙の種別指定に対応して定着設定温度を順次切り換える定着温度制御手段と、
前記連続印刷終了後、前記開始状態記憶手段に記憶されている開始状態情報に基づいて前記定着装置の制御温度を設定する定着温度設定手段を備えていることを特徴とする印刷装置。
【請求項２】
前記開始状態情報は、用紙種別であることを特徴とする請求項１記載の印刷装置。
【請求項３】
前記開始状態情報は、用紙種別に対応して予め設定された定着温度であることを特徴とする請求項１記載の印刷装置。
【請求項４】
前記用紙種別は、用紙の厚さであることを特徴とする請求項１ないし請求項３のいずれか１項に記載の印刷装置。
【請求項５】
上位装置から転送されてくる薬袋印刷データと薬情印刷データが混在する印刷ジョブに基づいて印刷処理を行う際、使用を指示される印刷用紙の種別に応じて定着装置の温度設定を異ならせて印刷処理する印刷装置において、
前記印刷ジョブ開始時の開始状態情報を記憶する開始状態記憶手段と、
同一印刷ジョブ内の連続印刷処理中は、前記印刷データ中に指定された印刷用紙の種別指定に対応して定着設定温度を順次切り換える定着温度制御手段と、
前記連続印刷終了後、前記開始状態記憶手段に記憶されている開始状態情報に基づいて前記定着装置の制御温度を設定する定着温度設定手段を備えていることを特徴とする印刷装置。
【請求項６】
前記開始状態情報は、用紙種別であることを特徴とする請求項５記載の印刷装置。
【請求項７】
前記開始状態情報は、用紙種別に対応して予め設定された定着温度であることを特徴とする請求項５記載の印刷装置。
【請求項８】
前記用紙種別は、用紙の厚さであることを特徴とする請求項５ないし請求項７のいずれか１項に記載の印刷装置。
【発明の詳細な説明】
【技術分野】
【０００１】
本発明は、薬剤師によって調整される薬剤の情報、及び薬剤を収納する薬袋の印刷が可能な薬袋薬情印刷モードを有する印刷装置に関する。
【背景技術】
【０００２】
今日、病院や診療所等において、薬の種類、効き目、副作用、飲み方、飲み合わせなど、薬剤の情報について患者に理解されるよう説明することが重視されている。また、近年薬剤師法が改正され、処方せんで調剤した薬剤についての情報を患者や看護にあたる人に提供しなければならないことが義務づけられ、薬袋に薬の種類、効き目、副作用等の薬情報を記載した印刷物を添付することが必要になった。
【０００３】
すなわち、薬袋とは、薬を入れる袋、薬情とは、薬袋に薬と一緒に入れる薬の内容情報を印刷した用紙のことであり、薬局では、医師の発行した処方箋を基に、薬を用意し、その薬の説明文書（薬情）を、薬情報データベースから出力して印刷するとともに、その薬情を薬と一緒に薬袋に入れて、患者に渡している。
【０００４】
そこで、上記薬袋と薬情報とを纏めて印刷処理する薬袋薬情印刷モードの機能を設けた印刷装置が従来から種々提案されている（例えば、特許文献１，２，３参照）。
このような印刷装置では、例えば薬袋薬情印刷モード、封筒印刷モード、及び通常印刷モードの各機能を設け、定着を良好に行うため、それぞれ印刷速度（プロセス速度）を異ならせている。
【０００５】
例えば、薬袋薬情印刷モードは、封筒と普通紙を混在させて印刷できるモードであり、定着温度の設定は普通紙と同じ温度であるが、普通紙と同じ速度で印刷を行うと定着不良になるため、印刷速度を下げて印刷している。
【０００６】
すなわち、特許文献１，２，３等は、薬局の作業効率を向上させる薬袋シートの印刷システムの発明であり、薬剤に関する情報をデータベースに格納し、このデータベースに薬局内のデータベースを接続し、薬剤を処方する際、薬剤コードに基づいてデータベースを検索し、薬袋に印刷すべきデータ、及び処方箋に印刷すべきデータを読み出し、それぞれの印刷処理を行っている。
【先行技術文献】
【特許文献】
【０００７】
【特許文献１】特開平１１−４２８３３号公報
【特許文献２】特開２００１−３１８９８８号公報
【特許文献３】特開２００８−２２５０５７号公報
【発明の概要】
【発明が解決しようとする課題】
【０００８】
ところで、上述したように用紙の種別に応じた複数の定着温度設定を有する従来の電子写真方式の印刷装置では、所定の印刷ジョブの終了時には、最後の用紙モードの定着温度を維持して待機する。これは、その後も同じ用紙の印刷処理が連続して来る可能性が高いためである。
【０００９】
特に、このような印刷装置によれば、厚紙モードで印刷作業が終了すると、厚紙の温度設定になったままになるが、この方式では、無駄な電力を消費するおそれがある。
【００１０】
例えば、特許文献３は、普通紙より高温の定着処理が必要な薬袋用紙が連続する場合、定着温度を高温に制御する方式であって、薬袋用紙モードより高い温度での定着処理が必要な厚紙と薬袋用紙より低い温度での定着処理が必要な普通紙との双方の用紙に対して短時間で対応が可能になるように、両方の用紙モードの中間の定着温度で待機するよう制御するようになっていた。
【００１１】
ここで、印刷に用いられる用紙の種別（厚さ）に応じて、以下のような定着温度設定制御を行う印刷装置の場合、薄紙、普通紙、厚紙、封筒等の用紙種別と定着設定温度との関係を、下記の表１に示す。
【００１２】
【表１】
2010224206.tif 000003
【００１３】
この表１から明らかなように、用紙の種別によって定着設定温度が異なることが理解されよう。
【００１４】
薬局で薬袋用紙と薬情用紙を纏めて印刷する作業時の異なる紙種の処理順序として、以下の例がある。
印刷順例Ａ．
「薄紙（中身）数枚→封筒（袋）１枚」（一人分の薬袋・薬情印刷ジョブ）の繰返し
印刷順例Ｂ．
「封筒（袋）１枚→薄紙（中身）数枚」（一人分の薬袋・薬情印刷ジョブ）の繰返し
【００１５】
上述したような処理順序で印刷を行う印刷装置にあっては、以下のような問題があった。
１．一般に定着温度は印刷終了時の用紙モードの温度を維持して制御されるので、印刷順例Ａでは最後の作業の封筒温度でしばらく待機して数分後印刷順例Ａの印刷では定着温度が薄紙用の低温になるまで待たされる。
【００１６】
温度下降は、通常、放置状態では０．１℃／秒程度の冷却率しか得られず、時間が掛かり過ぎるので、強制冷却用定着フアン（高速）と定着ロールの回転を行うことで４℃／秒の冷却率が得られるようにしても、薄紙用の適正定着温度に下がるまでには、１２．５秒（温度差５０℃÷４）程度待つことになる。
【００１７】
また、この場合、定着温度を早く下げるために無駄な電力を消費（待機の封筒＋定着フアン高速＋定着回転分）している。更に定着装置部分だけが独立回転しない構成では、本体モータが回転し装置全体を駆動しなければならず、更に電力を消費する。又消耗品としての感光ドラムやトナーを含む現像装置なども回転するので消耗品寿命が短くなる。
【００１８】
逆に、印刷順例Ｂでは、印刷作業が完了すると薄紙処理時の温度で待機され、数分後、また同じ印刷順例Ｂの印刷が繰り返されると、定着温度が封筒用の高温になるまで待たなければ次の印刷作業が開始できない。例えば、急速加熱制御した場合の温度上昇率が２℃／秒とすると、作業開始可能になるまで２５秒（温度差５０℃÷２）待たされる。
【００１９】
２．待機中の定着設定温度を選択設定できる装置では、待機中の定着設定温度を封筒モードに設定すると印刷順例Ｂの例では、封筒モードから開始されるので、次の印刷開始時間が短縮されるが、印刷順例Ａの例では開始時間が遅れる点は変わらない。
【００２０】
また、待機中の定着設定温度を薄紙モードに設定すると印刷順例Ａの例では、薄紙モードから開始されるので、次の印刷開始時間が短縮されるが、印刷順例Ｂの例の場合には、開始時間が遅れる点は変わらない。しかし何れの温度に設定したとしても上記印刷順でない普通紙や厚紙を印刷すると定着温度が異なるため印刷開始時間が遅くなってしまう。
【００２１】
すなわち、従来一人分の薬を渡す際に必要な印刷物を「薄紙（中身）数枚→封筒（袋）１枚」とすると、定着温度設定は低温（薄紙）から高温（封筒）と順に制御される。そして、１単位作業が終わったあと、次の薬を受け取る人が来て印刷処理が必要になるまで、定着温度は高温を保持している。次の印刷作業は、薄紙から開始されるので定着温度を低温に下げなければならないので印刷開始（給紙開始）が遅くなってしまうという不具合があり、このような問題点を解決し得る何らかの対策を講じることが望まれている。
【００２２】
本発明はこのような事情に鑑みてなされたものであり、定着温度が異なる用紙への連続印刷を行う印刷装置において、連続印刷時における印刷開始時間の短縮を可能とし無駄な電力消費を防ぎ、また印刷効率を向上させ得る印刷装置を得ることを目的とする。
【課題を解決するための手段】
【００２３】
このような目的に応えるために本発明（請求項１記載の発明）に係る印刷装置は、上位装置から転送される複数種類の印刷用紙に印刷処理を行う印刷ジョブに基づいて印刷処理を行う際、使用を指示される印刷用紙の種別に応じて定着装置の温度設定を異ならせて印刷処理する印刷装置において、前記印刷ジョブ開始時の開始状態情報を記憶する開始状態記憶手段と、同一印刷ジョブ内の連続印刷処理中は、前記印刷データ中に指定された印刷用紙の種別指定に対応して定着設定温度を順次切り換える定着温度制御手段と、前記連続印刷終了後、前記開始状態記憶手段に記憶されている開始状態情報に基づいて前記定着装置の制御温度を設定する定着温度設定手段を備えていることを特徴とする。
【００２４】
本発明（請求項２記載の発明）に係る印刷装置は、請求項１において、前記開始状態情報は、用紙種別であることを特徴とする。
【００２５】
本発明（請求項３記載の発明）に係る印刷装置は、請求項１において、前記開始状態情報は、用紙種別に対応して予め設定された定着温度であることを特徴とする。
【００２６】
本発明（請求項４記載の発明）に係る印刷装置は、請求項１ないし請求項３において、前記用紙種別は、用紙の厚さであることを特徴とする。
【００２７】
本発明（請求項５記載の発明）に係る印刷装置は、上位装置から転送されてくる薬袋印刷データと薬情印刷データが混在する印刷ジョブに基づいて印刷処理を行う際、使用を指示される印刷用紙の種別に応じて定着装置の温度設定を異ならせて印刷処理する印刷装置において、前記印刷ジョブ開始時の開始状態情報を記憶する開始状態記憶手段と、同一印刷ジョブ内の連続印刷処理中は、前記印刷データ中に指定された印刷用紙の種別指定に対応して定着設定温度を順次切り換える定着温度制御手段と、前記連続印刷終了後、前記開始状態記憶手段に記憶されている開始状態情報に基づいて前記定着装置の制御温度を設定する定着温度設定手段を備えていることを特徴とする。
【００２８】
本発明（請求項６記載の発明）に係る印刷装置は、請求項５において、前記開始状態情報は、用紙種別であることを特徴とする。
【００２９】
本発明（請求項７記載の発明）に係る印刷装置は、請求項５において、前記開始状態情報は、用紙種別に対応して予め設定された定着温度であることを特徴とする。
【００３０】
本発明（請求項８記載の発明）に係る印刷装置は、請求項５ないし請求項７において、前記用紙種別は、用紙の厚さであることを特徴とする。
【発明の効果】
【００３１】
以上説明したように本発明に係る印刷装置によれば、連続印刷時における各印刷時における印刷開始時間を短縮することができ、全体の印刷時間を短縮し、早く印刷処理が完了するという優れた効果がある。
【００３２】
また、本発明によれば、印刷時間が短縮されるから、消耗品（例えばドラム、トナー、転写ベルト、定着装置等）の寿命が延びる。さらに、装置本体のモータも稼働時間が短縮されるから、同様に寿命が延びるという利点がある。
【００３３】
さらに、「薄紙→封筒」の繰返しの印刷処理の場合は、次の印刷までにヒ一夕ＯＦＦの期間があるので電力削減に繋がる。
また、同じ用紙モードを繰返して印刷した場合、定着温度が変わらない従来と同様である。これは、待機温度が設定可能な機器では用紙モードが異なると遅くなるからである。
【００３４】
すなわち、本発明装置によれば、印刷開始時の用紙モードの定着設定温度を記憶しておき、１単位の印刷作業終了時に、先に記憶していた定着温度設定に戻すので、次の薬を受取に来る人が来て、薬袋・薬情の印刷が必要になるまでの間に定着温度が下がり、直ちに印刷を開始させることができる。
【００３５】
また、一般印刷物を繰返し（普通紙１０枚→普通紙２枚）印刷した場合も、定着温度設定は変わらないので、次の印刷開始時間の遅れはない。つまり、１単位の印刷作業開始時の用紙設定に対する温度制御条件を記憶しておき、１単位の印刷作業が終わるたびに、先に記憶した温度制御条件に戻して、次に続く印刷作業が開始されるように制御することができる。
【図面の簡単な説明】
【００３６】
【図１】本発明に係る印刷装置（プリンタ装置）の一実施形態を示し、その印刷処理を説明するシステム構成図である。
【図２】図１の印刷装置の内部構成を説明するための断面図である。
【図３】印刷順（薬袋と薬情とを混在して印刷処理される際の用紙処理手順の例）を図示したものである。
【図４】本発明に係る印刷装置による印刷動作を説明するためのフローチャートである。
【図５】本発明による印刷装置において、印刷順Ａを例とした場合の定着温度の変化を（１）本発明の場合と（２）従来方式の場合とで比較図示した説明図である。
【図６】本発明による印刷装置において、印刷順Ｂを例とした場合の定着温度の変化を（１）本発明の場合と（２）従来方式の場合とで比較図示した説明図である。
【発明を実施するための形態】
【００３７】
図１および図２は本発明に係る印刷装置（以下、プリンタ装置で示す）の一実施形態を示す。
これらの図において、図１はこの実施形態でのプリンタ装置の印刷処理を説明するシステム構成図である。
【００３８】
同図において、ホストインターフェイス（以下、ホストＩ/Ｆ で示す）４０は不図示のホスト機器から供給された印刷データを受信し、受信／描画部４１に送る。受信／描画部４１は、受信した印刷データを格納し、所定頁分の印刷データが格納されると、ＪＯＢ制御／画像データ部４９に印刷する記録媒体のサイズや、紙種情報等を記録する。
【００３９】
受信／描画部４１には、頁カウンタ４２、紙種連続カウンタ４６、紙種変換テーブル４７、及び紙種先頭頁４３、今頁紙種４４、次頁紙種４５の各情報を記録する記憶エリアが接続され、印刷動作モード４８の設定を行い、ＪＯＢ制御／画像データ部４９を介して印刷制御部５０に画像データを送信する。
【００４０】
印刷制御部５０は、供給された画像データをエンジン部５１に送信し、設定された印刷動作モードによる印刷処理をエンジン部５１に行わせる。なお、上記説明において、紙種先頭４３は紙種先頭記憶エリア４３で示し、今頁紙種４４は今頁紙種記憶エリア４４で示し、次頁紙種４５は次頁紙種記憶エリア４５で示す。
【００４１】
図２はこの実施形態におけるプリンタ装置の内部構成を説明する断面図である。
これを簡単に説明すると、同図に示すプリンタ装置１は、電子写真式で二次転写方式のタンデム型のカラーのプリンタ装置であり、４つの画像形成部２、中間転写ベルトユニット３、給紙部４、及び両面印刷用搬送ユニット５で構成されている。
【００４２】
上記画像形成部２は、同図の右から左へ４個の画像形成ユニット６（６Ｍ、６Ｃ、６Ｙ、６Ｋ）を多段式に並設した構成から成る。上記４個の画像形成ユニット６のうち上流側（図の右側）の３個の画像形成ユニット６Ｍ、６Ｃ、及び６Ｙは、それぞれ減法混色の三原色であるマゼンタ（Ｍ）、シアン（Ｃ）、イエロー（Ｙ）の色トナーによるカラー画像を形成し、画像形成ユニット６Ｋは、主として文字や画像の暗黒部分等に用いられるブラック（Ｋ）トナーによるモノクロ画像を形成する。
【００４３】
上記の各画像形成ユニット６は、トナー容器に収納されたトナーの色を除き全て同じ構成である。したがって、以下、ブラック（Ｋ）用の画像形成ユニット６Ｋを例にしてその構成を説明する。
【００４４】
画像形成ユニット６は、最下部に感光体ドラム７を備えている。この感光体ドラム７は、その周面が例えば有機光導電性材料で構成され、周面近傍を取り巻いて、クリーナ８、帯電ローラ９、光ヘッド１１、及び現像器１２の現像ローラ１３が配置されている。
【００４５】
現像器１２は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には下部へのトナー補給機構を備え、下部には側面開口部に上述した現像ローラ１３を備え、内部にトナー撹拌部材、現像ローラ１３にトナーを供給するトナー供給ローラ、現像ローラ１３上のトナー層を一定の層厚に規制するドクターブレード等を備えている。
【００４６】
中間転写ベルトユニット３は、本体装置のほぼ中央で図の左右のほぼ端から端まで扁平なループ状になって延在する無端状の転写ベルト１４、この転写ベルト１４を掛け渡されて転写ベルト１４を図の反時計回り方向に循環移動させる駆動ローラ１５、及び従動ローラ１６を備えている。
【００４７】
なお、上記転写ベルト１４には、トナー像が直接ベルト面に転写（一次転写）され、そのトナー像を更に用紙に転写（二次転写）すべく用紙への転写位置まで搬送するので、ここではユニット全体を中間転写ベルトユニットとして示している。
【００４８】
この中間転写ベルトユニット３は、上記扁平なループ状の転写ベルト１４のループ内にベルト位置制御機構１７を備えている。ベルト位置制御機構１７は、転写ベルト１４を介して感光体ドラム７の下部周面に押圧する導電性発泡スポンジから成る一次転写ローラ１８を備えている。
【００４９】
ベルト位置制御機構１７は、マゼンタ（Ｍ）、シアン（Ｃ）及びイエロー（Ｙ）の３個の画像形成ユニット６Ｍ、６Ｃ、及び６Ｙに対応する３個の一次転写ローラ１８を鉤型の支持軸を中心に同一周期で回転移動させ、ブラック（Ｋ）の画像形成ユニット６Ｋに対応する１個の一次転写ローラ１８を上記３個の一次転写ローラ１８の周期と異なる回転移動周期で回転移動させて転写ベルト１４を感光体ドラム７から離接させ、フルカラーモード（４個全部の一次転写ローラ１８が転写ベルト１４に当接）、モノクロモード（画像形成ユニット６Ｋに対応する一次転写ローラ１８のみが転写ベルト１４に当接）、及び全非転写モード（４個全部の一次転写ローラ１８が転写ベルト１４から離れる）に切換える。
【００５０】
上記中間転写ベルトユニット３には、上面部のベルト移動方向最上流側の画像形成ユニット６Ｍの更に上流側に、ベルトクリーナユニットが配置され、下面部のほぼ全面に沿い付けるように平らで薄型の廃トナー回収容器１９が着脱自在に配置されている。
【００５１】
給紙部４は、上下３段に配置された３個の給紙カセット２１ａ〜２１ｃを備え、３個の給紙カセット２１ａ〜２１ｃの給紙口（図の右方）近傍には、それぞれ用紙取出ローラ２２、給送ローラ２３、捌きローラ２４、待機搬送ローラ対２５が配置されている。待機搬送ローラ対２５の用紙搬送方向（図の鉛直上方向）には、転写ベルト１４を介して従動ローラ１６に圧接する二次転写ローラ２６が配設されて、用紙への二次転写部を形成している。
【００５２】
また、上記３個の給紙カセット２１ａ〜２１ｃには、それぞれ異なる記録媒体が収納されている。そして、後述する制御に従って、指定された給紙カセット２１ａ〜２１ｃから対応する記録媒体が搬出される。
【００５３】
ここで、この実施形態では、給紙カセット２１ａには薬袋である封筒が収納され、給紙カセット２１ｂには薬情として薄紙が収納され、さらに給紙カセット２１ｃには普通紙が収納されている。
そして、これらの給紙カセット２１ａ〜２１ｃに必要な記録媒体が順次補給されるとともに、順次連続して給紙されるように構成されている。
【００５４】
上記二次転写部の下流（図では上方）側にはベルト式熱定着装置２７が配置されて、ベルト式熱定着装置２７の更に下流側には、定着後の用紙をベルト式熱定着装置２７から搬出する搬出ローラ対２８、及びその搬出される用紙を装置上面に形成されている排紙トレイ２９に排紙する排紙ローラ対３１が配設されている。
【００５５】
両面印刷用搬送ユニット５は、上記搬出ローラ対２８と排紙ローラ対３１との中間部の搬送路から図の右横方向に分岐した開始返送路３２ａ、それから下方に曲がる中間返送路３２ｂ、更に上記とは反対の左横方向に曲がって最終的に返送用紙を反転させる終端返送路３２ｃ、及びこれらの返送路の途中に配置された４組の返送ローラ対３３ａ、３３ｂ、３３ｃ、３３ｄを備えている。尚、上記終端返送路３２ｃの出口は、給紙部４の下方の給紙カセット２１に対応する待機搬送ローラ対２５への搬送路に連絡している。
【００５６】
また、本例において中間転写ベルトユニット３の上面部には、クリーニング部３５、取り込みローラ３６が配置されている。クリーニング部３５は、転写ベルト１４の上面に当接して廃トナーを擦り取って除去し、取り込みローラ３６はクリーニング部３５が除去した廃トナーを引き継いで、図示を省略したベルトクリーナユニットの一時貯留部に溜め込み、その溜め込まれた廃トナーを搬送スクリューにより落下筒内を上部まで搬送し、落下筒を介して廃トナー回収容器１９に送り込んでいる。
【００５７】
また、上記のクリーニング部３５を適度の圧力で転写ベルト１４に圧接させるために、中間転写ベルトユニット３側には、下方から転写ベルト１４をクリーニング部３５に向けて押圧する押圧ローラ３７が設けられている。
【００５８】
図３は印刷順（薬袋と薬情とを混在して印刷処理される際の用紙処理手順の例）を図示したものであり、以下に簡単に説明する。
（Ａ）中身（薬情用薄紙）を先に印刷する例
ここで、１頁目の図示する意味は、（用紙サイズ：Ａ４サイズの用紙（カセット）が選択され給紙される。紙の種類：薬情モードが選択される。画像データとしては、Ｎ頁目として記録されている薬情の画像データが出力される。定着の温度設定としては薄紙モードの温度設定となる。）ことを示している。２頁以降もこれに準じる。
【００５９】
また、Ｎ頁目の図示する意味は、（用紙サイズ：Ａ５サイズの用紙（カセット）が選択され給紙される。紙の種類：薬袋モードが選択される。画像データとしては、１頁目として記録されている薬袋の画像データが出力される。定着の温度設定としては封筒モードの温度設定となる。）ことを示している。
【００６０】
（Ｂ）袋（薬袋用封筒用紙）を先に印刷する例
薬の種類や量は患者によって違うので一人分の印刷処理において中身（薬情用薄紙）の印刷枚数をＮ頁とする。
【００６１】
勿論、データベース上は（Ｂ）のような形式で管理されていても、印刷順（Ａ）に変換することは容易であり、印刷順はいずれでもよい。
【００６２】
図４は印刷処理動作を説明するフローチャートである。
ここで、フローチャートにおいて、「追加１」と「追加２」と付記された手順が本発明による印刷装置の改善点であり、従来の方式による装置では、この「追加１」と「追加２」の手順がない。
【００６３】
これを簡単に説明すると、印刷処理動作がステップＦ１でスタートし、ステップＦ２で印刷開始が確認されると、ステップＦ３において設定温度メモリから印刷する用紙の種類に応じて記憶されている開始状態情報である定着温度を呼び出し、ステップＦ４において用紙モードに基づき定着温度を指定し、ステップＦ５で所定の定着温度が得られたことを確認してから、ステップＦ６で給紙カセットからの給紙を開始し、ステップＦ７で定着を通過したら、ステップＦ８で印刷を終了する。
この終了後に、ステップＦ９でメモリの設定温度を設定し、ステップＦ１０で動作を終了する。
【００６４】
図５は印刷順Ａを例とした場合の定着温度の変化を（１）本発明の場合と（２）従来方式の場合とで比較図示したものである。
同図において、（１）本発明の場合、図４のステップＦ３で開始時の設定温度が記憶される。薄紙を数枚繰り返し印刷する際は、ステップＦ４で用紙に対応した温度に設定する処理が行われ、その後、ステップＦ５で定着装置の現在温度が用紙に対応した温度に達しているか否かの確認、判断されるが、薄紙の繰り返し印刷の際には、既に薄紙温度状態なので、すぐにステップＦ６の給紙開始へ進む。
【００６５】
次に、ステップＦ７で用紙が定着部を通過したかどうかが監視され、このステップＦ７がＹＥＳならば、ステップＦ８に進んで、ジョブの印刷処理が全て終わったかどうか判断し、未だ処理が終わっていなければ、ステップＦ４に戻り、ステップＦ４からステップＦ８までの動作を繰返す。
【００６６】
印刷順Ａの場合、最後の用紙は、薬袋用用紙なのでステップＦ４で封筒温度へ切換え制御が行われ、ステップＦ５において、封筒用紙のための最適温度になるまで、給紙開始を待つ｛図５（１）においてＰで示す｝。
【００６７】
その後、先と同様に、ステップＦ７で用紙が定着部を通過したかどうかを監視し、このステップＦ７がＹＥＳならば、ステップＦ８でジョブの印刷処理が全て終わったかどうか判断し、印刷順Ａの場合、薬袋用封筒用紙の処理が最後なので、印刷終了が判断され、ステップＦ９においてステップＦ３で記憶されている最初の用紙モードの設定温度、すなわち薄紙用温度設定へ戻す。
【００６８】
これに対し、同図において（２）従来方式の場合は、印刷開始時ステップＦ４で、薬袋用の封筒処理温度状態にある定着制御が薄紙温度へ切換えられるので、ステップＦ５で最適温度になるまで待たされる｛図５（２）において＊印で示す｝。
【００６９】
図６は印刷順Ｂを例とした場合の定着温度の変化を（１）本発明の場合と（２）従来方式の場合とで比較した図である。
同図において、（１）本発明の場合は、図４のステップＦ３で開始時設定温度が記憶される。薬袋を印刷ステップＦ４で用紙に対応した温度に設定する処理が行われ、ステップＦ５で定着装置の現在温度が用紙に対応した温度に達しているか確認判断されるが、既に封筒温度なので、すぐにステップＦ６の給紙開始へ進む。
【００７０】
次に、ステップＦ７で用紙が定着部を通過したかどうかを監視し、ステップＦ７がＹＥＳならば、ステップＦ８でジョブの印刷処理が全て終わったかどうかを判断する。
この印刷順Ｂの場合、次は薄紙なのでステップＦ４で薄紙温度へ切換え処理が行われ、ステップＦ５で薄紙処理用の最適温度になるまで待つ｛図５（１）においてＰで示す｝。
【００７１】
次に、最適温度になれば、ステップＦ６で給紙が開始され、ステップＦ７で用紙が定着装置を通過したかどうかが監視され、さらにステップＦ８でジョブの印刷処理が全て終わったかどうかが判断される。まだ、薬情印刷が終わっていなければ、ステップＦ４に戻り、ステップＦ４〜ステップＦ８を繰返す。
【００７２】
最後にステップＦ８でジョブの印刷処理が全て終わったかどうかが判断され、ジョブが終わりであれば、ステップＦ９においてステップＦ３で記憶されている最初の用紙モードの設定温度、すなわち封筒温度へ戻す。
【００７３】
これに対し、同図において（２）従来方式の場合は、前回ジョブで薄紙用定着温度状態に制御されたままの定着装置が印刷開始時になって初めて、ステップＦ４で封筒温度へ切換えられるので、ステップＦ５で最適温度になるまで待たされることになる｛図５（２）で＊印で示す｝。
【００７４】
以上の構成による印刷装置によれば、上述した図５、図６における（１）本発明の場合と（２）従来方式の場合との比較において明らかなように、＊の記号で示した時間分、早く印刷開始するので早く印刷完了することになり、効率のよい連続印刷が可能となる。
【００７５】
また、印刷時間が短縮されるので、消耗品（ドラム、トナー、転写ベルト、定着部など）の寿命が延び、また、印刷装置本体のモータも稼働時間が短縮されるので、同様に寿命が延びることになる。
【００７６】
特に、図５での「薄紙→封筒」の繰返しの場合は、次の印刷までにヒ一夕ＯＦＦ期間があるから、電力削減に繋がる。
【００７７】
また、同じ用紙モードを繰返して印刷した場合、定着温度が変わらない従来と同様であるが、待機温度が設定可能な機器では用紙モードが異なると遅くなる。
【００７８】
なお、本発明は上述した実施の形態で説明した構造には限定されず、印刷装置を構成する各部の形状、構造等を適宜変形、変更し得ることはいうまでもない。
【００７９】
たとえば上述した実施形態では、薬局などで薬を患者に渡す際に必要となる薬の情報を印刷した薬情報用紙と、この印刷物と薬を一緒に入れて患者に渡すための薬袋を１回の印刷作業で纏めて印刷処理することができる薬袋薬情印刷装置に関しての説明を記載したが、この実施形態での構成に限らず、封筒とその封筒に入れる書類を一緒に纏めて印刷処理する、例えばダイレクトメール（ＤＭ）等の印刷処理を行う印刷装置にも本発明が適用できる。
【符号の説明】
【００８０】
１  印刷装置
２  画像形成部
４  給紙部
５  両面印刷用搬送ユニット
６  画像形成ユニット
７  感光体ドラム
８  クリーナ
９  帯電ローラ
１１  光ヘッド
１２  現像器
２１ａ〜２１ｃ  給紙カセット
２２  用紙取出ローラ
２３  給送ローラ
２４  捌きローラ
２７  ベルト式熱定着装置
４０  ホストインターフェイス
４１  受信／描画部
４２  頁カウンタ
４３  紙種先頭頁
４４  今頁紙種
４５  次頁紙種
４６  紙種連続カウンタ
４７  紙種変換テーブル
４８  印刷動作モード
４９  ＪＯＢ制御／画像データ部
５０  印刷制御部
５１  エンジン部
【図１】
2010224206.tif 000004
【図２】
2010224206.tif 000005
【図３】
2010224206.tif 000006
【図４】
2010224206.tif 000007
【図５】
2010224206.tif 000008
【図６】
2010224206.tif 000009